(57)【要約】【課題】画面視認性を損なうことなく、画面保護と機器の装飾性の両立を図る。【解決手段】画面に貼り付けられて当該画面を視認可能な状態で保護する保護シート１において、保護対象である前記画面よりも大きく形成されており、保護対象である前記画面を視認可能であって当該画面の大きさに略対応した大きさの画面保護領域部１Ａと、当該画面保護領域の周囲にあって装飾が施された装飾領域部１Ｂと、を一体的に備えている。【選択図】　　　図１
2004117880.tif 000002
【特許請求の範囲】
【請求項１】
画面に貼り付けられて前記画面を視認可能な状態で保護する保護シートにおいて、
保護対象である前記画面よりも大きく形成されており、
保護対象である前記画面を視認可能であって前記画面の大きさに略対応した大きさの画面保護領域部と、前記画面保護領域の周囲にあって装飾が施された装飾領域部と、を一体的に備えていることを特徴とする画面保護シート。
【請求項２】
多延性を有することを特徴とする請求項１記載の画面保護シート。
【発明の詳細な説明】
【０００１】
【発明の属する技術分野】
本発明は、携帯電話、携帯情報端末、携帯ゲーム機、カメラ、ノートパソコン等に備わった画面を保護するシートに関するものである。
【０００２】
【従来の技術】
画面の傷や汚れを防止するために画面に貼り付けて使用される保護シートが、例えば特許文献１に記載されている。
従来の保護シートは、接着剤によって画面に貼り付けられ、貼り付けた状態でも画面を視認できるように透明なシートからなる。
【０００３】
【特許文献１】
実開平６−８４４３２号公報
【０００４】
【発明が解決しようとする課題】
従来の保護シートは、画面視認性を確保するため単なる透明シートによって構成されており、画面を保護することはできるが、機器の装飾性を向上させることはできなかった。
本発明の課題は、画面視認性を損なうことなく、画面保護と機器の装飾性の両立を図った保護シートを得ることにある。
【０００５】
【課題を解決するための手段】
本発明は、画面に貼り付けられて前記画面を視認可能な状態で保護する保護シートにおいて、保護対象である前記画面よりも大きく形成されており、保護対象である前記画面を視認可能であって前記画面の大きさに略対応した大きさの画面保護領域部と、前記画面保護領域の周囲にあって装飾が施された装飾領域部と、を一体的に備えていることを特徴とする。
【０００６】
本発明に係る保護シートによると、画面を保護する画面保護領域部の周囲に装飾が施された装飾領域部が備わっているため、保護シートの画面保護領域部を画面に合わせて貼り付けることで、画面の視認性を損なうことなく画面の周囲に装飾が付された状態となる。すなわち、保護シートを貼り付けることで、画面の保護だけでなく、画面を有する機器の装飾効果も得られる。
【０００７】
また、保護シートは、多延性を有するのが好ましく、この場合、画面と当該画面の周囲に段差があっても、保護シートの延びによって段差にかかわらずフィットした状態で保護シートを貼り付けることができる。
【０００８】
【発明の実施の形態】
以下、本発明の好ましい実施形態を図面に基づいて説明する。
図１〜図３に示す保護シート１は、携帯電話等の液晶画面１０を有する機器２０の当該液晶画面１０に機器使用者が後付けして当該液晶画面１０が傷付いたり汚れたりするのを防ぐために用いられる。
機器（携帯電話）２０は、液晶表示装置１１を機器筐体２１に取り付けることによって構成されており、液晶表示装置１１は、液晶画面１０の周囲に額縁状に設けられた装置フレーム１２を備えて構成されている。
【０００９】
保護シート１は、液晶画面１１よりも大きく形成されており、具体的には、装置フレーム１２を含めた液晶表示装置１１全体の大きさよりも大きく形成されている。なお、保護シート１は、液晶表示装置１１全体と略同程度の大きさに形成することもできる。
【００１０】
保護シート１は、その面内において、無色透明な画面保護領域部１Ａと、当該画面保護領域部１Ａの周囲にあって額縁状である装飾領域部１Ｂ（図１の網掛範囲）とを有している。画面保護領域部１Ａは液晶画面１１に対応した大きさに設定されている。装飾領域部１Ｂは画面保護領域部１Ａの全周域において所定の幅を有して形成され、換言すると装飾領域部１Ｂは液晶表示装置フレーム１２の幅よりも大きい幅をもって形成されている。すなわち、保護シート１は、装飾領域部１Ｂの幅の分だけ液晶画面１１より大きく形成されている。
【００１１】
装飾領域部１Ｂには、色彩や模様が施されている。このような色彩や模様は、保護シート１を液晶表示装置１１に貼り付けたときに、機器２０を装飾する効果を発揮する。つまり、画面保護領域部１Ａを液晶画面１０の位置に合わせて貼り付けることで、装飾領域部１Ｂの色彩や模様が液晶画面１０の周囲（装置フレーム１２上）に付された状態となる。このように保護シート１を貼り付けることで、保護機能だけでなく機器装飾機能も得られ、無機的な機器外観のデザイン性を向上させることができる。例えば、装飾領域部１Ｂにキャラクター模様を施しておくことで、機器２０の画面１０周囲をキャラクター模様で装飾することができる。
【００１２】
しかも、装飾領域部１Ｂは、画面保護領域部１Ａの周囲にあるため、模様等が画面１０の視認を阻害しない。なお、模様や色彩は、装飾領域部１Ｂの全体に施されている必要はなく、当該領域部１Ｂ（図１の網掛範囲）内において部分的又は散点的に存在していてもよく、装飾領域部１Ｂ内において模様や色彩以外の部分は透明であってもよい。
【００１３】
図２に示すように、保護シート１は、ベース２と、このベース２の一部厚さ領域又は全厚にわたり繋ぎ剤を溶剤的に含浸した状態で設けられた繋ぎ補強層３と、必要に応じて繋ぎ補強層３の表面に設けられた装飾層４と、最表面に設けられたコート層５と、ベース２の裏面に設けられた粘着材層６とを有している。また、粘着材層６の裏面には剥離紙７が付着されており、この保護シート１の使用時（貼り付け時）まで粘着材層６に対する塵埃等の付着を防止している。
【００１４】
ベース２は、オレフィン系等の合成樹脂材により形成されており、透明で伸び性及び引張強度に優れた特性を有している。繋ぎ補強層３は、図２においては、繋ぎ剤がベース２の全厚にわたって含浸し、そのうえで更にベース２の表面上へも盛り上がる状態で設けられたものとして示している。繋ぎ補強層３の形成に用いられている繋ぎ剤は、乾燥後において豊富な柔軟性を有するインキにより成るもので、オレフィン系等の合成樹脂材に対して馴染みが良好なものとされている。このような繋ぎ剤が、ベース２をはじめとして粘着材層６に対して含浸することで溶剤的な結合状態が生じることになり、その結果、この繋ぎ剤が含浸した状態としてのベース２、即ち、繋ぎ補強層３においてその延び性及び引張強度が飛躍的に高められ多延性を有したものとなる。
【００１５】
装飾層４は、保護シート１の装飾領域部１Ｂにだけ施されており、装飾領域部１Ｂにおける色彩又は模様を構成するように印刷が施されてなる。なお、画面保護領域部１Ｂにも、装飾層４に相当する層を形成してもよく、この場合、装飾層４に相当する層は、画面視認性を阻害しないように透明インキで形成する。また、コート層５も透明インキ印刷により形成されている。
【００１６】
本実施形態の保護シート１を機器２０に貼り付けるには、まず、剥離紙７を剥がす。そして、保護シート１の画面保護領域部１Ａが液晶表示装置１１の画面１０に一致するように貼り付ける。ここで、画面保護領域部１Ａは、画面１０の大きさに対応しているため、画面保護領域部１Ａと装飾領域部１Ｂとの境界が画面１０の縁に一致するように貼り付けることで、画面保護領域部１Ａと画面１０とを簡単に一致させることができる。
【００１７】
次に、装飾領域部１Ｂを装置フレーム１２の幅と一致するようにカットする。画面保護領域部１Ａが画面に応じた大きさに形成されているのに対し、装飾領域部１Ｂは、一般的な装置フレーム１２の大きさよりも大きく形成され、大きな装飾領域部１Ｂを貼り付けて装置フレーム１２に合わせてカットするようにしているので、大きさ・形状の異なる装置フレーム１２（画面１１の大きさが同じでも装置フレーム１２の大きさ・形状が異なる場合がある）に対して柔軟に対応することができ、汎用性が高い。
具体的には、機器筐体２１と装置フレーム１２との間の溝に沿って装飾領域部１Ｂをカットする。機器筐体２１と装置フレーム１２との間の溝に沿ってカットすることで、機器筐体２１に傷が付くのが防止できる。
保護シート１は、装飾領域部１Ｂを一体的に備えているため、保護シート１を貼ることで保護効果と装飾効果の双方が得られる。特に本実施形態では、携帯電話における液晶表示装置１１の装置フレーム１２上の装飾が得られる。しかも、画面１０の大きさに対応して形成された画面保護領域部１Ｂは透明であるため、画面視認性が損なわれない。
【００１８】
また、本実施形態の保護シート１は、延びが豊富な多延性シートであるため、画面１０と装置フレーム１２との間に段差があっても、当該段差にかかわらず保護シート１をピッタリと液晶表示装置１１に貼り付けることができる。また、保護シート１を液晶表示装置１１よりも大きくカットした場合であって、装置フレーム１２と機器筐体２１との間に段差がある場合であっても、保護シート１をピッタリと機器２０に貼り付けることができる。
【００１９】
なお、本発明は、上記実施形態に限定されるものではない。例えば、保護シートが貼り付けられる機器としては、携帯電話以外に、携帯情報端末、携帯ゲーム機、ノートパソコン、テレビ、ＰＣ用ディスプレイ、カメラ（デジタルカメラ等）、その他画面を有する機器であればよく、特に携帯使用される電子機器が好適である。また、画面としては、液晶画面だけでなく、ブラウン管形式その他のものであってもよい。また、保護シートは、使用者が機器に後付けする場合に限られず、機器メーカ等が機器の画面保護と機器の装飾のために用いることもできる。
【００２０】
【発明の効果】
本発明に係る保護シートによると、画面の保護だけでなく、画面を有する機器の装飾効果も得られる。
【図面の簡単な説明】
【図１】保護シートと保護シートが貼り付けられる携帯電話の平面図である。
【図２】図１のＡ−Ａ線断面図である。
【符号の説明】
１　保護シート
１Ａ　画面保護領域部
１Ｂ　装飾領域部
【図１】
2004117880.tif 000003
【図２】
2004117880.tif 000004